(57)【要約】【課題】  折畳式携帯電話機の２つの筐体の最大開き角度を１８０度未満の所定角度にする。【解決手段】  第１の筐体２と、第１の筐体２に斜めに突設された支軸１０と、支軸１０に回動可能に取り付けられた回動部材１１と、回動部材１１に設けられ支軸１０の中心線に対して垂直方向に突設された開閉軸１２と、開閉軸１２に取り付けられ開閉軸１２の中心線周りに回動可能に取り付けられた第２の筐体３と、第２の筐体３が開閉軸１２を中心に支軸１０の中心線に対して垂直位置まで回動されたとき前記垂直位置で第２の筐体３を回動を停止させるストッパ部材１１ａとを備える。【選択図】  図１
2006033330.tif 000002
【特許請求の範囲】
【請求項１】
第１の筐体と、前記第１の筐体に斜めに突設された支軸と、前記支軸に回動可能に取り付けられた回動部材と、前記回動部材に設けられ前記支軸の中心線に対して垂直方向に突設された開閉軸と、前記開閉軸に取り付けられ前記開閉軸の中心線周りに回動可能に取り付けられた第２の筐体と、前記第２の筐体が前記開閉軸を中心に前記支軸の中心線に対して垂直位置まで回動されたとき前記垂直位置で前記第２の筐体の回動を停止させるストッパ部材とを備えることを特徴とする２軸ヒンジ機構付き折畳式携帯情報端末装置。
【請求項２】
前記支軸の根本部が取り付けられる前記第１の筐体の表面部が傾斜面として形成され前記支軸が前記傾斜面に対し垂直に突設されることを特徴とする請求項１に記載の２軸ヒンジ機構付き折畳式携帯情報端末装置。
【請求項３】
前記支軸の根本部に設けるフランジ部が前記支軸の中心線に対して傾斜して設けられ、前記フランジ部が前記第１の筐体の表面に対して平行となるように前記第１の筐体内に埋設されることを特徴とする請求項１に記載の２軸ヒンジ機構付き折畳式携帯情報端末装置。
【発明の詳細な説明】
【技術分野】
【０００１】
本発明は携帯電話機や簡易型携帯電話機（パーソナルハンディホンシステム：ＰＨＳ）等の携帯情報端末装置に係り、特に、回転機構と開閉機構の両方の機構を有する２軸ヒンジ機構によって２つの本体筐体が連結された２軸ヒンジ機構付き折畳式携帯情報端末装置に関する。
【背景技術】
【０００２】
例えば下記特許文献１、２には、通話制御装置等を内部に搭載し表面に押しボタンスイッチ等が配置された筐体と、液晶等の表示部の画面が表面に露出する様に配置された筐体とを２軸ヒンジ機構により連結し、一方の筐体に対して他方の筐体を回転可能且つ折り畳み可能にした携帯電話機の構造が記載されている。
【０００３】
斯かる２軸ヒンジ機構付き折畳式携帯電話機は、表示部の画面が内側を向くように一方の筐体を他方の筐体に対して折り畳むことができ、また、一方の筐体を他方の筐体に対して回転させてから折り畳むことで、表示部の画面が外側を向くように２つの筐体が対面するように折り畳むことができる。
【０００４】
従来の２軸ヒンジ機構付き折畳式携帯電話機は、一方の筐体の表面に対し垂直に２軸ヒンジ機構の回転軸を取り付け、この回転軸に垂直に突設された開閉軸に第２の筐体を取り付ける構造になっている。このため、一方の筐体に対して他方の筐体を開き、通話相手と会話するときは、一方の筐体に対して他方の筐体は１８０度に開かれることになる。
【０００５】
【特許文献１】特開２００３―２４４２９３号公報
【特許文献２】特開２００３―３０４３１６号公報
【発明の開示】
【発明が解決しようとする課題】
【０００６】
しかしながら、折畳式携帯電話機を開いて使用する場合、一方の筐体の端部に設けられた送話孔を口に当て、他方の筐体の端部に設けられた受話孔を耳に当てるには、筐体を１８０度未満の角度で開いた状態、換言するなら、筐体が若干「く」の字状に折れ曲がっている方が使用し易い。また、表示画面を見ながら押しボタンスイッチを操作するときも、若干「く」の字状に折れ曲がっている方が、画面が見易い。
【０００７】
これに対し、従来の２軸ヒンジ機構付き折畳式携帯電話機は、一方の筐体に対し他方の筐体を開くと、１８０度の角度で開いてしまうため、受話孔を耳に押し当てると送話孔が口から離れすぎ、送話孔を口に当てると受話孔が耳から離れすぎてしまうという問題がある。
【０００８】
この問題を解決するために、一方の筐体と他方の筐体の開き角度を１８０度未満の所定角度で一時的に係止できるクリック機構を設けることも可能であるが、クリック機構を持たせるための構造が複雑になり製造コストが嵩んでしまうという問題が発生する。また、クリック荷重を大きくとることができないため、受話孔からの音が良く聞こえるように受話孔を耳に強く押し付けると、クリック機構が外れて２つの筐体が１８０度に開いてしまうという問題もある。
【０００９】
本発明の目的は、２つの筐体の開き角度を１８０度未満の所定角度に保つことができる２軸ヒンジ機構付き折畳式携帯情報端末装置を提供することにある。
【課題を解決するための手段】
【００１０】
本発明の２軸ヒンジ機構付き折畳式携帯情報端末装置は、第１の筐体と、前記第１の筐体に斜めに突設された支軸と、前記支軸に回動可能に取り付けられた回動部材と、前記回動部材に設けられ前記支軸の中心線に対して垂直方向に突設された開閉軸と、前記開閉軸に取り付けられ前記開閉軸の中心線周りに回動可能に取り付けられた第２の筐体と、前記第２の筐体が前記開閉軸を中心に前記支軸の中心線に対して垂直位置まで回動されたとき前記垂直位置で前記第２の筐体の回動を停止させるストッパ部材とを備えることを特徴とする。
【００１１】
この構成により、既存の２軸ヒンジ機構の基本構造を変えることなく、２つの筐体の最大開き角度を１８０度未満の所定角度にすることが可能となり、携帯情報端末装置の使い勝手が向上する。
【００１２】
本発明の２軸ヒンジ機構付き折畳式携帯情報端末装置は、前記支軸の根本部が取り付けられる前記第１の筐体の表面部が傾斜面として形成され前記支軸が前記傾斜面に対し垂直に突設されることを特徴とする。
【００１３】
この構成により、従来の２軸ヒンジ機構付き折畳式携帯情報端末装置の基本構造のうち第１の筐体の端部の構造のみ若干変更するだけで、２つの筐体の最大開き角度を１８０度未満の所定角度にすることが可能となる。
【００１４】
本発明の２軸ヒンジ機構付き携帯情報端末装置は、前記支軸の根本部に設けるフランジ部が前記支軸の中心線に対して傾斜して設けられ、前記フランジ部が前記第１の筐体の表面に対して平行となるように前記第１の筐体内に埋設されることを特徴とする。
【００１５】
この構成により、従来の２軸ヒンジ機構付き折畳式携帯情報端末装置の基本構造のうち支軸の根本部の構造のみ若干変更するだけで、２つの筐体の最大開き角度を１８０度未満の所定角度にすることが可能となる。
【発明の効果】
【００１６】
本発明の２軸ヒンジ機構付き折畳式携帯情報端末装置によれば、従来の２軸ヒンジ機構の支軸を第１の筐体に対して斜めに取り付けるだけで、最大開き角度を１８０度未満の所定角度にすることができ、このため、受話孔を耳に当てたとき送話孔が口から離れすぎることがなくなり、また、受話孔を耳に強く押し当てても最大開き角度は不変のため、使い勝手が向上する。
【発明を実施するための最良の形態】
【００１７】
以下、本発明の一実施形態について、図面を参照して説明する。
【００１８】
図１は、本発明の第１の実施の形態に係る２軸ヒンジ機構付き折畳式携帯電話機の開いた状態の要部破断概略側面図である。この折畳式携帯電話機１は、第１の本体筐体２と、第２の本体筐体３とを有し、第１の本体筐体２と第２の本体筐体３とは、２軸ヒンジ機構４によって連結されている。
【００１９】
第１の本体筐体２には、本実施形態では、図示しない通話制御装置が内蔵されると共に、表面部にダイヤル用等の押しボタンスイッチ５が設けられ、端部には送話孔６が設けられる。
【００２０】
第２の本体筐体３には、本実施形態では、液晶表示部７の画面が表面に露出するように設けられると共に、端部に受話孔８が設けられる。
【００２１】
第１の本体筐体２の送話孔６が設けられた端部と反対側の端部と、第２の本体筐体３の受話孔８が設けられた端部と反対側の端部とは、２軸ヒンジ機構４によって連結される。この２軸ヒンジ機構４は、第１の本体筐体２に根本部が埋設固定された支軸１０を備える。
【００２２】
この支軸１０は、本実施形態では、第１の本体筐体２の表面に対して、押しボタン５側に傾くように斜めに、図示する例では７０度の傾斜角で第１の本体筐体２に突設される。
【００２３】
そして２軸ヒンジ機構４は更に、この支軸１０の先端部分に設けられ、支軸１０を中心として双頭矢印Ａ方向に回動可能に設けられた回動部材１１と、回動部材１１の両側部に突設された開閉軸１２とを備え、開閉軸１２に第２の本体筐体３が回動可能に取り付けられる。尚、開閉軸１２と第２の本体筐体３とが固設され、開閉軸１２が回動部材１１に対して回動可能となるように設けてもよい。
【００２４】
回動部材１１の底部（第１の本体筐体２側）には、回動部材１１の中心軸に対して直角方向に突出するフランジ状の鍔部１１ａが設けられる。この鍔部１１ａは、第２の本体筐体３が開閉軸１２を中心に第１の本体筐体２に対して開かれたとき、第２の本体筐体３が鍔部１１ａに当接してそれ以上の開動作を阻止するストッパとして機能する。
【００２５】
斯かる構造を有する本実施形態に係る２軸ヒンジ機構付き折畳式携帯電話機１は、図１に示す様に、第１の本体筐体２に対して第２の本体筐体３を開くとき、第２の本体筐体３は開閉軸１２を中心に第１の本体筐体２から離れる方向に開かれ、第２の本体筐体３が回動部材１１の鍔部１１ａに当接したとき最大の開き角となる。この最大開き角は、図１に示す例では、支軸１０が７０度の傾斜角で設けられているため、１６０度程度となり、使い勝手の良い角度となる。
【００２６】
折畳式携帯電話機１を折り畳む場合、図１の状態から、第２の本体筐体３を開閉軸１２を中心に第１の本体筐体２に近づける方向に回動させる。第２の本体筐体３の先端部が第１の本体筐体２の先端部に当接した時点で完全に折り畳まれ、図２に示す様に、第１の本体筐体２の押しボタンスイッチ５の面と第２の本体筐体３の液晶表示部７の画面とが対面した状態となる。即ち、液晶表示面が内側となり見えない状態で携帯電話機１が閉じられる。
【００２７】
液晶表示部７の画面を外側に向けて携帯電話機１を折り畳みたい場合には、図１に示す状態から、支軸１０にほぼ平行になるまで開閉軸１２を中心に第２の本体筐体３を起こし、今度は、支軸１０を中心に第２の本体筐体３を１８０度回転させ、更に、第２の本体筐体３を開閉軸１２を中心に第１の本体筐体２に近づける方向に回動させる。そして、第２の本体筐体３の先端部が第１の本体筐体２の先端部に当接した時点で完全に折り畳まれるが、今度は図３に示す様に、液晶表示部７の画面は外側を向き、携帯電話機１を完全に閉じた状態でも表示を見ることが可能となる。
【００２８】
図４は、本発明の第２の実施の形態に係る２軸ヒンジ機構付き折畳式携帯電話機の開いた状態の要部破断概略側面図であり、図５は、液晶表示面を内側にして完全に閉じた状態の要部破断概略側面図である。図１、図２、図３と同一部材には同一符号を付してその説明は省略する。
【００２９】
本実施形態では、第１の本体筐体２の２軸ヒンジ機構取付側の端部２ａの表面を斜めに形成し、この傾斜面に対して支軸１０を垂直に取り付けることで、支軸１０を第１の本体筐体２に対して斜めに取り付けたことを特徴としている。
【００３０】
２軸ヒンジ機構４は、従来から使用されている２軸ヒンジ機構と同じ構造のものを採用することで、製造コストの低減を図ることができる。図１に示す実施形態で、支軸１０を第１の本体筐体２の表面に対して垂直に取り付けた構造が従来の携帯電話機の構造であるが、この従来の携帯電話機で用いた２軸ヒンジ機構を本発明の実施形態にそのまま適用する場合、第１の本体筐体２に対して支軸１０を斜めに配設すると、支軸１０の根本部端部が第１の本体筐体２の表面から上側に出てしまい、支軸１０の取付強度が弱くなってしまう。
【００３１】
そこで、第２の実施形態では、図４、図５に示す様に、第１の本体筐体２の端部２ａの表面を斜めに形成し、従来と同じ２軸ヒンジ機構４を採用しても支軸１０の取付強度が確保できる構造としている。
【００３２】
図６、本発明の第３の実施の形態に係る２軸ヒンジ機構付き折畳式携帯電話機の開いた状態の要部破断概略側面図であり、図７は、液晶表示面を内側にして完全に閉じた状態の要部破断概略側面図である。図１、図２、図３と同一部材には同一符号を付してその説明は省略する。
【００３３】
図４、図５に示す第２の実施形態では、従来構造と同じ２軸ヒンジ機構を採用し、第１の本体筐体２の構造を変形させたが、本実施形態では逆に、第１の本体筐体２の構造は変更せずに、２軸ヒンジ機構の支軸１０の根本部の構造を変形させていることを特徴とする。
【００３４】
即ち、本実施形態では、支軸１０の根本部に設けるフランジ部１０ａを、図４、図５に示すように支軸１０の中心軸に対して垂直に設けるのではなく、図６、図７に示す様に斜めに設け、このフランジ部１０ａを第１の本体筐体２に対して水平に取り付ける構造にしたことを特徴とする。これにより、第１の本体筐体２の構造を従来から変更することなく、支軸１０を第１の本体筐体２に対して斜めに取り付けることが可能となる。
【産業上の利用可能性】
【００３５】
本発明に係る２軸ヒンジ機構付き折畳式携帯情報端末装置は、２つの本体を完全に開いた状態で開き角度を１８０度未満の所定角度に固定することができるというという効果を奏し、携帯電話機等として有用である。
【図面の簡単な説明】
【００３６】
【図１】本発明の第１の実施形態に係る２軸ヒンジ機構付き折畳式携帯電話機の開いた状態の要部破断概略側面図
【図２】本発明の第１の実施形態に係る２軸ヒンジ機構付き折畳式携帯電話機で表示面を内側にして閉じた状態を示す要部破断概略側面図
【図３】本発明の第１の実施形態に係る２軸ヒンジ機構付き折畳式携帯電話機で表示面を外側にして閉じた状態を示す要部破断概略側面図
【図４】本発明の第２の実施形態に係る２軸ヒンジ機構付き折畳式携帯電話機の開いた状態の要部破断概略側面図
【図５】本発明の第２の実施形態に係る２軸ヒンジ機構付き折畳式携帯電話機で表示面を内側にして閉じた状態を示す要部破断概略側面図
【図６】本発明の第３の実施形態に係る２軸ヒンジ機構付き折畳式携帯電話機の開いた状態の要部破断概略側面図
【図７】本発明の第３の実施形態に係る２軸ヒンジ機構付き折畳式携帯電話機で表示面を内側にして閉じた状態を示す要部破断概略側面図
【符号の説明】
【００３７】
１  ２軸ヒンジ機構付き折畳式携帯電話機
２  第１の本体筐体
３  第２の本体筐体
４  ２軸ヒンジ機構
５  押しボタンスイッチ
６  送話孔
７  液晶表示部
８  受話孔
１０  支軸
１０ａ  フランジ部
１１  回動部材
１１ａ  鍔部（ストッパ部材）
１２  開閉軸
【図１】
2006033330.tif 000003
【図２】
2006033330.tif 000004
【図３】
2006033330.tif 000005
【図４】
2006033330.tif 000006
【図５】
2006033330.tif 000007
【図６】
2006033330.tif 000008
【図７】
2006033330.tif 000009